(57)【特許請求の範囲】
【請求項１】
容器本体と、容器本体の開口部に取り付けられるバルブと、バルブに装着される噴射部材とからなるエアゾール容器に、
容器本体内部と噴射部材の噴射孔までの通路に
液だまり部と
噴射操作により容器本体内部と前記液だまり部を遮断する弁とを備え、
前記エアゾール容器に粉体を含有する原液、液化ガスおよび圧縮ガスからなるエアゾール組成物を充填したエアゾール製品であり、
圧縮ガスの分圧より求めた２５℃における液化ガスの液相部に対するオストワルド係数が１以上であるエアゾール製品。
【請求項２】
前記圧縮ガスが、炭酸ガスおよび／または亜酸化窒素である請求項１記載のエアゾール製品。
【請求項３】
前記液化ガスをエアゾール組成物中に３０〜９９重量％配合する請求項１または請求項２記載のエアゾール製品。
【発明の詳細な説明】
【０００１】
【発明の属する技術分野】
本発明はエアゾール製品に関し、くわしくは、粉体を含有するエアゾール組成物を定量的に噴射するエアゾール製品に関する。
【０００２】
【従来の技術】
粉体を含有するエアゾール組成物を定量的に噴射するエアゾール製品については、たとえば、特開平１１−２２８９４３号公報、特開平１１−３００２４２号公報などに記載されている。特開平１１−２２８９４３号公報には、粉体を多量に配合したエアゾール組成物を定量的に噴射できるエアゾール製品が記載されており、また、特開平１１−３００２４２号公報には、粉体が常時定量室内に留められるように、粉体貯留用凹部を設けたエアゾール製品が記載されている。
【０００３】
しかし、上記先行技術では、１回の噴射操作で、噴射が開始してから停止するまでの時間、すなわち、定量室内のエアゾール組成物を全量噴射する時間が長く、さらに、定量室内にエアゾール組成物、とくに粉体が残留しやすく、定量的に噴射できなくなるという問題がある。
【０００４】
【発明が解決しようとする課題】
前記問題点を解決するために検討した結果、上記先行技術に用いられている定量噴射型バルブでは、粉体は定量室内でケーキングしやすく、かつ定量室内でエアゾール組成物は密に充填されているため、噴射前にエアゾール製品を振っても、定量室内を攪拌することができない。そのため、噴射時、粉体は微細に分散されず、粉体の通路抵抗は大きくなり、噴射され難くなる。さらに定量室内のエアゾール組成物は、噴射時、エアゾール容器内部とは遮断されるため、エアゾール容器内部からの噴射剤の供給および圧力が伝わらず、定量室内のエアゾール組成物を全量噴射するのに時間がかかることがわかった。本発明の目的は、前記課題を解決し、粉体を含するエアゾール組成物を確実に一定量噴射させることができるエアゾール製品を提供することにある。
【０００５】
【課題を解決するための手段】
本発明は、容器本体と、容器本体の開口部に取り付けられるバルブと、バルブに装着される噴射部材とからなるエアゾール容器に、
容器本体内部と噴射部材の噴射孔までの通路に
液だまり部と
噴射操作により容器本体内部と前記液だまり部を遮断する弁とを備え、
前記エアゾール容器に粉体を含有する原液、液化ガスおよび圧縮ガスからなるエアゾール組成物を充填したエアゾール製品にかかわる。
【０００６】
本発明は、圧縮ガスの２５℃における液化ガスの液相部に対するオストワルド係数が１以上である前記のエアゾール製品にかかわる。
【０００７】
本発明は、前記圧縮ガスが、炭酸ガスおよび／または亜酸化窒素である前記の各エアゾール製品にかかわる。
【０００８】
【発明の実施の形態】
図１に、本発明の一実施形態において使用するエアゾール容器の主要部の断面図を示す。また、図２に、本発明のほかの一実施形態において使用するエアゾール容器の主要部の断面図を示す。さらに、図３に、本発明の一実施形態において使用するエアゾール容器の断面図を示す。
【０００９】
本発明に用いられるエアゾール容器は、エアゾール組成物を充填するための容器本体１と、容器本体１の開口部に取り付けられ、容器本体１の内外を連通／遮断するバルブ２と、エアゾール組成物を噴射するための噴射孔３を有する噴射部材４とからなり、容器本体１内部と噴射部材４の噴射孔３までの通路に液だまり部５と噴射操作により容器本体１内部と液だまり部５を遮断する弁６を有する。
【００１０】
バルブ２は、ハウジング７、ステム８、スプリング９、ステムラバー１０、中栓１１およびカバーキャップ１２を有する。
【００１１】
ハウジング７は、筒状であり、上部開口部および下部開口部を有し、さらに内部空間を上部開口部側と下部開口部側とに分割する底壁１３を有し、底壁１３の中央部分に上部開口部側の内部空間と下部開口部側の内部空間とを連通し、ステム８の下部を貫通させる開口部を有する。図２のエアゾール容器においては、底壁１３の開口部内周側に上方に伸びる内側筒状部分１４を有する。
【００１２】
ハウジング７の下部開口部には、筒状のブッシュ１５とディップチューブ１６とが順次装着されている。底壁１３の下面とブッシュ１５とのあいだには、リップ先端がステム８の下部の外周面に摺接する漏斗状の弁６が保持されている。
【００１３】
ステム８は、上部開口部を有し、噴射部材４を装着するステム上部と、ステム８を押し下げた際、弁６に密接し、シールするステム下部とからなり、ステム下部がハウジング７の底壁１３の開口部を通過するようにハウジング７に挿入されている。ステム８の上部開口部側がハウジング７から外方へ突き出し、噴射部材４に連通する。ステム８は、噴射通路１７を形成する内部空間および側壁に噴射通路１７に連通する横孔の連通孔１８を有する。ステム８は、たとえば、ステンレスなどの金属材料、または、ナイロン、ジュラコンなどの合成樹脂材料などにより作製されており、ステムラバー１０と摺動できるように、平滑な表面にされている。
【００１４】
ステム８の外周と摺動するように嵌装されたステムラバー１０は、通常の状態では、スプリング９の付勢力により上方に押し上げられているステム８の連通孔１８を、内径面１０ａによって閉鎖し、エアゾール容器の気密を保つ。噴射時には噴射部材４を押し下げてステムラバー１０と連通孔１８のシールを開放することによって、エアゾール組成物を噴射孔３より外部へ噴射することができる。
【００１５】
エアゾール容器に充填されたエアゾール組成物を容器本体１内部から噴射孔３まで移動させるための通路は、たとえば、ディップチューブ１６、ブッシュ１５、ハウジング７、ならびに、ステム８の連通孔１８および噴射通路１７によって形成することができる。
【００１６】
中栓１１は、ハウジング７を保持し、ステムラバー１０の上に嵌装されている。この中栓１１の上部外側にカバーキャップ１２が嵌装されている。中栓１１とカバーキャップ１２とのあいだに、容器本体１の開口端が挿入され、カバーキャップ１２の下部１２ａを加締めて一体的に取り付けられている。
【００１７】
本発明で使用するエアゾール容器は、容器本体１内部から噴射孔までの通路に、液だまり部５を有する。図１、図２および図３のエアゾール容器においては、ハウジング７の内周面および底壁１３ならびにステムラバー１０により閉鎖している連通孔１８までの空間が液だまり部５を形成し、噴射操作により、ステム８の下部が弁６に密接し、容器本体１内部と液だまり部５を遮断する。
【００１８】
液だまり部５は、通常時、エアゾール容器内部と連通しており、ディップチューブ１６を通じてエアゾール組成物が密に充填されている。使用時には、噴射部材４を軸方向に押し下げると、ステム８がステムラバー１０に摺動し、まずステム８下部が弁６内に挿入され、容器本体１内部と液だまり部５を遮断する。さらに押し下げると連通孔１８が開くようにされている。これにより、液だまり部５に充填されているエアゾール組成物のみが噴射剤の圧力により連通孔１８を通って噴射通路１７に導入され、外部へ噴射される。噴射操作をやめ、連通孔１８が閉鎖され、容器本体１内部と液だまり部５が再度連通されると、容器本体１内部のエアゾール組成物がディップチューブ１６を通じて液だまり部５内に充填される。
【００１９】
本発明で使用するエアゾール容器の噴射特性として、バルブ２を作動させると容器本体１内部と液だまり部５のあいだは遮断されるので、エアゾール組成物の供給はなく、またエアゾール容器内の噴射剤に加圧されないので、ふんわりとしたやさしい噴射となる。
【００２０】
図２のエアゾール容器においては、ハウジング７の内周面、底壁１３および内側筒状部分１４が、粉体を貯留し、液だまり部５内の粉体がブッシュ１５の空間などに落下することを防止するための粉体貯留用凹部を形成する。図２のエアゾール容器においては、液だまり部５内には、粉体貯留用凹部に貯留した粉体を攪拌するための部材（攪拌部材）１９、たとえば、スプリング、ボールなどを有することができる。攪拌部材１９は、エアゾール組成物を噴射する際に液だまり部５内を攪拌する構造とすることによって、凹部内で密に凝集した粉体を効率よく攪拌することができる。
【００２１】
図３は本発明に用いられるエアゾール容器の他の実施形態である。図３のバルブは、容器本体１に取り付けられるマウンティングカップ２０を有し、ハウジング７はマウンティングカップ２０により保持されている。また容器本体１には、開口部２１にビード部２２を設けており、該ビード部２２にガスケット２３を介してバルブ２のマウンティングカップ２０をかしめ付けることにより取り付けられる。なお、本発明に用いられるエアゾール容器は、容器本体の形状や材質、バルブの取り付け方法などで限定されるものではない。
【００２２】
本発明に用いられるエアゾール組成物２４は、粉体２５を含有する原液、液化ガスおよび圧縮ガスからなる。
【００２３】
粉体としては、皮膚に付着した際に、サラサラ感を与えるなど使用感を向上させたり、有効成分を吸着し、皮膚に付着したのち、徐々に有効成分を脱着し、効果を持続させたり、粉体自体が有効成分として作用するような特性を有する粉体を使用することができる。
【００２４】
粉体の含有量は、エアゾール組成物中、０．０５〜５０重量％、好ましくは０．１〜３０重量％とすることができる。粉体の含有量が０．０５重量％未満では、粉体を配合することによる効果が充分得られない。一方、５０重量％以上の場合では、エアゾール容器内、とくに液だまり部内で粉体がケーキングしやすくなり、均一な噴射ができなくなり、また、噴射孔などで詰まりやすくなる傾向がある。
【００２５】
粉体としては、たとえば、クロルヒドロキシアルミニウム、トルナフテート、リドカイン、グルコン酸クロロヘキシジン、タルク、カオリン、雲母、セリサイト、炭酸マグネシウム、炭酸カルシウム、シリカ、ケイ酸マグネシウム、ケイ酸アルミニウム、メタケイ酸アルミン酸マグネシウム、ゼオライト、硫酸カルシウム、ヒドロキシアパタイト、セラミックパウダー、チッ化ホウ素、二硫化モリブデン、ポリアミド樹脂粉末、ポリエチレン粉末、ポリスチレン粉末、ポリメタクリル酸メチル粉末、セルロース粉末、シリコーン樹脂粉末、二酸化チタン、酸化鉄、黄酸化鉄、酸化チタン、カーボンブラック、群青、アルミニウムパウダー、カッパーパウダー、粉体状の有効成分などを使用することができる。
【００２６】
粉体とともに原液を構成する成分は、たとえば、使用目的（用途）などに応じて適宜選択することができる。粉体とともに原液を構成する成分としては、たとえば、水、油成分、界面活性剤、アルコール、高分子化合物、有効成分などをあげることができる。
【００２７】
水としては、たとえば、精製水、イオン交換水などをあげることができる。
【００２８】
油成分としては、たとえば、ミリスチン酸イソプロピル、オクタン酸セチル、ミリスチン酸オクチルドデシル、パルミチン酸イソプロピル、ステアリン酸ブチル、ミリスチン酸ミリスチル、オレイン酸デシル、乳酸セチル、ステアリン酸イソセチル、イソステアリン酸イソセチル、アジピン酸ジイソブチル、セバシン酸ジイソプロピルなどのエステル油；ジメチルポリシロキサン、メチルフェニルポリシロキサン、メチルハイドロジェンポリシロキサン、デカメチルポリシロキサンなどのシリコーン；灯油、パラフィン、流動パラフィン、ワセリン、スクワラン、スクワレン、ｎ−ペンタン、イソペンタン、ｎ−ヘキサン、イソヘキサンなどの炭化水素；アボガド油、ツバキ油、タートル油、トウモロコシ油、ミンク油、オリーブ油、ナタネ油、ゴマ油、ヒマシ油、アマニ油、サフラワー油、ホホバ油、ヤシ油などの油脂；ミツロウ、ラノリン、酢酸ラノリン、カンデリラロウ、カウナウバロウ、モンタンロウなどのロウ；ラウリン酸、ミリスチン酸、パルミチン酸、ステアリン酸、ベヘニン酸、オレイン酸、イソステアリン酸、リノール酸、リノレイン酸などの高級脂肪酸などをあげることができる。
【００２９】
界面活性剤としては、たとえば、ソルビタン脂肪酸エステル、グリセリン脂肪酸エステル、デカグリセリン脂肪酸エステル、ポリグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオキシエチレンアルキルエーテル、ポリオキシエチレンポリオキシプロピレンアルキルエーテル、ポリオキシエチレンアルキルフェニルエーテル、ポリオキシエチレンヒマシ油・硬化ヒマシ油、ポリオキシエチレンラノリン・ラノリンアルコール・ミツロウ誘導体、ポリオキシエチレンアルキルアミン・脂肪酸アミド、レシチンなどをあげることができる。
【００３０】
アルコールとしては、たとえば、エタノール、プロパノール、イソプロパノールなどの１価の低級アルコール；ラウリルアルコール、セチルアルコール、ステアリルアルコール、ベヘニルアルコール、ミリスチルアルコール、オレイルアルコール、ラノリンアルコール、ヘキシルドデカノール、イソステアリルアルコールなどの１価の高級アルコール；エチレングリコール、プロピレングリコール、１，３−ブチレングリコール、ジエチレングリコール、ポリプロピレングリコール、グリセリン、ジグリセリン、ポリエチレングリコール、エチレングリコールモノエチルエーテル、エチレングリコールモノブチルエーテル、エチレングリコールジメチルエーテル、ジエチレングリコールモノエチルエーテル、ジエチレングリコールモノブチルエーテル、プロピレングリコールモノエチルエーテル、エチレングリコールモノエチルエーテルアセテート、ジエチレングリコールモノエチルエーテルアセテートなどの多価アルコールなどをあげることができる。
【００３１】
高分子化合物としては、たとえば、カゼイン、ゼラチン、デンプン、メチルセルロース、エチルセルロース、ヒドロキシエチルセルロース、変性ポテトスターチ、コーンスターチ、ポリビニルアルコール、カルボキシビニルポリマーなどをあげることができる。
【００３２】
有効成分としては、クロルヒドロキシアルミニウム、酸化亜鉛、パラフェノールスルホン酸亜鉛などの制汗剤、ラウリル酸メタクリレート、安息香酸メチル、フェニル酢酸メチル、グラニルクロトレート、ミリスチン酸アセトフェノン、酢酸ベンジル、プロピオン酸ベンジルなどの消臭剤、パラオキシ安息香酸エステル、安息香酸ナトリウム、ソルビン酸カリウム、フェノキシエタノール、塩化ベンザルコニウム、塩化ベンゼトニウム、塩化クロルヘキシジン、感光素、パラクロルメタクレゾールなどの殺菌・防腐剤、１−メントール、カンフルなどの清涼剤、アラントインヒドロキシアルミニウム、クエン酸、乳酸、酸化亜鉛、タンニン酸などの収斂剤、アラントイン、グリチルレチン酸、アズレンなどの抗炎症剤、メタプロテレノール、アミノフィリン、テオフィリン、テルブタリン、アドレナリン、エフェドリンなどの抗ぜん息薬、サッカリン、アスパルテームなどの甘味剤、塩酸ジブカイン、塩酸テトラカイン、塩酸リドカインなどの局所麻酔剤、塩酸ジフェンヒドラミン、マレイン酸クロルフェミラミンなどの抗ヒスタミン剤、サリチル酸メチル、ケトプロフェン、インドメタシン、フェルビナク、ピロキシカム、カンフル、ジフェンヒドラミン、クロタミトンなどの消炎鎮痛剤、Ｎ，Ｎ−ジエチル−ｍ−トルアミド（ディート）、カプリル酸ジエチルアミドなどの害虫忌避剤、アルブチン、コウジ酸などの美白剤、パラアミノ安息香酸エステル、サリチル酸オクチル、サリチル酸フェニル、パラメトキシケイ皮酸イソプロピル、パラメトキシケイ皮酸オクチル、パラメトキシケイ皮酸２−エチルヘキシル、２，４−ジヒドロキシベンゾフェノン、２−ヒドロキシ−４−メトキシベンゾフェノンなどの紫外線吸収剤、グリシン、アラニン、ロイシン、イソロイシン、セリン、スレオニントリプトファン、シスチン、システイン、アスパラギン酸、グルタミン酸などのアミノ酸、ビタミンＡ油、レチノール、パルミチン酸レチノール、塩化ピリドキシン、ニコチン酸ベンジル、ニコチン酸アミド、ニコチン酸ｄｌ−α−トコフェロール、ビタミンＤ２（エルゴカシフェロール）、ｄｌ−α−トコフェロール、酢酸ｄｌ−α−トコフェロール、パントテン酸、ビオチンなどのビタミン類、エラストラジオール、エチニルエストラジオールなどのホルモン類、α−トコフェロール、ジブチルヒドロキシトルエン、ブチルヒドロキシアニソールなどの酸化防止剤、ドクダミエキス、オウバクエキス、シャクヤクエキス、ヘチマエキス、キナエキス、サクラソウエキス、バラエキス、レモンエキス、アロエエキス、ショウブ根エキス、ユーカリエキス、セージエキス、茶エキス、海藻エキス、プラセンタエキス、シルク抽出液などの各種抽出液、各種香料などがあげられる。
【００３３】
本発明では、噴射剤として液化ガスと圧縮ガスとを併用することに特徴があり、粉体を配合し、かつエアゾール容器内部と遮断され、エアゾール容器内部の圧力が伝わらない液だまり部内にあるエアゾール組成物を全量噴射させることができる。これは、噴射操作した際、まず液だまり部内の原液および液化ガスに溶解していた圧縮ガスが気化し、これにより気泡が生じたり、振動を与えるなどの作用が得られ、液だまり部内のエアゾール組成物を活性化するため、液化ガスが気化しやすくなることによる。とくに、圧縮ガスとして液化ガスの液相部に対するオストワルド係数（２５℃）が１以上であるものを使用した場合には、原液および液化ガスへの溶解量が多くなるため、溶解していた圧縮ガスが気化する際、液だまり部内のエアゾール組成物の活性化が大きくなり、一層確実に噴射することができる。
【００３４】
液化ガスの液相部に対する圧縮ガスのオストワルド係数は、以下のようにして測定することができる。アルミニウム製容器（満注量１００ｍｌ）にバルブを取り付け、液化ガスの液相部が容器満注量の６０容量％となる量の液化ガスを充填する。このときの圧力をＰLPG、液相部の容積をＶl、気相部の容積をＶgとし、ＰLPG、ＶlおよびＶgは圧縮ガスの充填、溶解により変動しないものとする。ついで圧縮ガスを充填し、２５℃の恒温水槽にて、圧力が平衡に達するまで保存する。圧縮ガスの充填量をａ（ｍｌ）、測定した平衡圧をＰ（ａｔｍ）（ただし、Ｐ＝ＰLPG＋Ｐeq、Ｐeqは圧縮ガスの平衡時の分圧である）、液化ガスの液相部に対する圧縮ガスのオストワルド係数βとすると次式が成立する。
ａ＝Ｖg・Ｐeq＋β・Ｖl・Ｐeq
【００３５】
したがって、βは、次式で算出される。
β＝（ａ−Ｖg・Ｐeq）÷（Ｖl・Ｐeq）
【００３６】
たとえば、炭酸ガスの２５℃における各種液化ガスに対するオストワルド係数（ｍｌ／ｍｌ）は、ｎ−ブタンに対して２．５、イソブタンに対して２．８、ＬＰＧ（０．２）に対して２．８、ＬＰＧ（０．３）に対して２．６、ジメチルエーテルに対して９．７である。ＬＰＧ（０．２）は、２５℃における蒸気圧が０．２ＭＰａのｎ−ブタンおよびイソブタンの混合物である。ＬＰＧ（０．３）は、２５℃における蒸気圧が０．３ＭＰａ（２５℃）のｎ−ブタン、イソブタンおよびプロパンの混合物である。
【００３７】
液化ガスとしては、液化石油ガス（プロパン、ｎ−ブタン、イソブタンおよびこれらの混合物）、ジメチルエーテル、テトラフルオロエタン、ヘプタフルオロプロパンなどのフロン類およびこれらの混合物などがあげられる。液化ガスは、２５℃における蒸気圧が０．１〜０．６ＭＰａ、さらには０．１５〜０．５ＭＰａが好ましい。０．１ＭＰａ未満の場合は、液だまり部内のエアゾール組成物を全量噴射させるのが困難となる。一方、０．６ＭＰａ以上の場合は、噴射の勢いが強くなり、使用感がわるくなる。また、前記液化ガスと炭素数が５〜６の炭化水素、たとえば、ｎ−ペンタン、イソペンタン、ｎ−ヘキサンなどとを混合し、所望の圧力に調整することもできる。
【００３８】
圧縮ガスとしては、炭酸ガス、窒素ガス、亜酸化窒素ガス、圧縮空気およびこれらの混合物などがあげられる。これら圧縮ガスにおいて、液化ガスの液相部に対するオストワルド係数が１以上であるものが好ましく、具体的には炭酸ガス、亜酸化窒素ガスが好ましい。また、炭酸ガスや亜酸化窒素ガスといったオストワルド係数の大きな圧縮ガスと、窒素ガス、圧縮空気などを混合し、オストワルド係数が１以上となるものを用いてもよい。液化ガスの液相部に対するオストワルド係数が１未満の場合は、圧縮ガスの溶解量が少なく、液だまり内部のエアゾール組成物を充分活性化できず、全量噴射させるのが困難となる。
【００３９】
液化ガスは、エアゾール組成物中３０〜９９重量％、好ましくは４０〜９７重量％配合される。液化ガスの配合量が３０重量％未満の場合、液だまり部内のエアゾール組成物を確実に全量噴射させるのが困難となり、使い勝手がわるくなる。一方、９９重量％以上の場合は、有効成分や粉体、圧縮ガスなどの配合量が少なくなるため、所望の効果が得られない。
【００４０】
圧縮ガスは、エアゾール組成物中０．１〜１０重量％、好ましくは０．５〜１０重量％配合される。圧縮ガスの配合量が０．１重量％未満の場合、圧縮ガスの溶解量が少なくなり、液だまり部内のエアゾール組成物を全量噴射させるのに時間がかかり、使い勝手がわるくなる。一方、１０重量％以上の場合は、製品圧力が高くなりすぎ、危険である。
【００４１】
本発明のエアゾール製品は、たとえば、傷薬、かゆみ止め、水虫薬、ぜん息薬、殺菌消毒剤、消炎鎮痛剤、制汗剤、害虫忌避剤、化粧水、プレシェーブローション、アフターシェーブローション、サンスクリーン剤などの人体用製品、ヘアスプレー、ヘアフォーム、トリートメントフォーム、クリームフォーム、フォームワックス、染毛剤、育毛剤、脱色剤、クレンジングなどの頭髪・頭皮用製品などとして有用である。
【００４２】
【実施例】
実施例１〜３および比較例１
クロルヒドロキシアルミニウム３．０重量％、タルク６．０重量％、酸化亜鉛１．０重量％、ミリスチン酸イソプロピル３．０重量％、ソルビタンモノオレエート０．５重量％およびジメチルポリシロキサン０．５重量％からなる原液１４．０重量％と、液化ガス８２．０重量％および炭酸ガス４．０重量％（実施例１）、液化ガス８４．０重量％および炭酸ガス２．０重量％（実施例２）、液化ガス８５．０重量％および炭酸ガス１．０重量％（実施例３）、または、液化ガス８６．０重量％（比較例１）とからなるエアゾール組成物（制汗剤）３０ｇを、図１に示したエアゾール容器（アルミニウム製、満注量：８０ｍｌ）に充填した。
【００４３】
なお、液だまり部の容積は１ｍｌである。実施例１〜２および比較例１では、液化ガスとして、２５℃における蒸気圧が０．２ＭＰａのｎ−ブタンおよびイソブタンの混合物（ＬＰＧ（０．２））を使用し、実施例３では、２５℃における蒸気圧が０．３ＭＰａのｎ−ブタン、イソブタンおよびブロパンの混合物（ＬＰＧ（０．３））を使用した。
【００４４】
実施例４〜６および比較例２
酸化亜鉛０．５重量％、タルク３．０重量％、アクリノール０．０１重量％、リドカイン０．０２重量％、グリチルレチン酸ジカリウム０．０１重量％およびミリスチン酸イソプロピル７．０重量％からなる原液１０．５４重量％と、ＬＰＧ（０．２）８４．４６重量％および炭酸ガス５．０重量％（実施例４）、ＬＰＧ（０．２）７６．４６重量％、ジメチルエーテル１０．０重量％および炭酸ガス３．０重量％（実施例５）、ＬＰＧ（０．２）８６．１６重量％、炭酸ガス３．０重量％および窒素ガス０．３重量％（実施例６）、または、ＬＰＧ（０．２）８９．４６重量％（比較例２）とからなるエアゾール組成物（傷薬）４０ｇを、図３に示したエアゾール容器（アルミニウム製、満注量：１００ｍｌ）に充填した。
【００４５】
実施例７および比較例３
アミノフィン１９６８ｍｇ、大豆レシチン２ｍｇ、アスパルテーム３０ｍｇを３０％エタノール水溶液に溶解し、噴霧乾燥法により微粉末を得た。この微粉末１５ｍｇとヘプタフルオロプロパン１０ｇ、炭酸ガス０．３ｇとからなるエアゾール組成物（ぜん息薬）を図１に示したエアゾール容器（アルミニウム製、満注量：２０ｍｌ）に充填した。なお液だまり部の容積は０．１ｍｌである。また比較例３として、前記微粉末１５ｍｇとヘプタフルオロプロパン１０ｇとからなるエアゾール組成物を図１に示したエアゾール容器（アルミニウム製、満注量：２０ｍｌ）に充填した。
【００４６】
評価
（１）噴射量安定性
実施例１および比較例１のエアゾール製品を２５℃の恒温水槽に３０分間保持したのちに噴射した。噴射前と噴射後の重量を測定し、噴射量を算出した。この操作を４０回繰り返し、噴射量の安定性を評価した。噴出量（ｇ）の結果を表１および図４に示す。
【００４７】
【表１】
0004666716.tif 000002
【００４８】
また、実施例２〜７および比較例２〜３についても、同様の試験を行ない、噴射回数１〜５回の平均値を基準にしたとき、噴射量の減少が５％未満のものを○、５〜１０％のものを△、１０％を超えるものを×として、噴射量の安定性を評価した。結果を表２に示す。
【００４９】
（２）使用感
皮膚へ噴射したときの使用感を以下の基準で評価した。結果を表２に示す。
○：ソフトな噴射形態が得られ、噴射面での飛び散りが少なく、また、短時間で噴射が停止した。
×：噴射開始から停止するまでの時間が長く使いづらかった。
【００５０】
【表２】
0004666716.tif 000003
【００５１】
試験結果より、本発明のエアゾール製品（実施例１〜７）は、繰り返し噴射しても、噴射量はほぼ一定であり、かつ使用感に優れていることがわかる。一方、従来品（比較例１〜３）は、噴射量の減少が大きく、一定量噴射できないことがわかる。さらに、従来品では１回の噴射時間が長く、使用感もよくなかった。
【００５２】
【発明の効果】
本発明のエアゾール製品は、粉体を含有するエアゾール組成物を確実に一定量噴射させることができる。
【図面の簡単な説明】
【図１】本発明の一実施形態で使用するエアゾール容器の主要部の断面図である。
【図２】本発明の一実施形態で使用するエアゾール容器の主要部の断面図である。
【図３】本発明の一実施形態で使用するエアゾール容器の断面図である。
【図４】本発明の実施例の結果（噴射量安定性）を示すグラフである。
【符号の説明】
１    容器本体
２    バルブ
３    噴射孔
４    噴射部材
５    液だまり部
６    弁
７    ハウジング
８    ステム
９    スプリング
１０    ステムラバー
１０ａ  内径面
１１    中栓
１２    カバーキャップ
１３    底壁
１４    内側筒状部分
１５    ブッシュ
１６    ディップチューブ
１７    噴射通路
１８    連通孔
１９    攪拌部材
２０    マウンティングカップ
２１    開口部
２２    ビード部
２３    ガスケット
２４    エアゾール組成物
２５    粉体
【図１】
0004666716.tif 000004
【図２】
0004666716.tif 000005
【図３】
0004666716.tif 000006
【図４】
0004666716.tif 000007